(57)【要約】【課題】  光成端箱に光カプラを搭載する場合に光接続部の収納スペースを減らすことなく光カプラを収納することが可能な光成端箱を提供する。【解決手段】  筐体２内に複数の光カプラ１１が収納されており、筐体２内に引き込まれた複数の入力側光線路６をそれぞれ光カプラ１１を介して複数本の出力側光線路７に分岐接続する光成端箱１であって、光カプラ１１が複数の可撓性シート１４間に挟み込まれるようにして固定された光ファイバシート１０を備え、光カプラ１１の入力側光ファイバ１２および出力側光ファイバ１３は前記可撓性シート１４間から外に引き出されており、入力側光ファイバ１２は前記入力側光線路６と接続されており、出力側光ファイバ１３は出力側光線路７と接続されており、出力側光ファイバ１３は、複数の光カプラ１１からの出力側光ファイバ１３をそれぞれ１本ずつ有する組に分けられている光成端箱１を用いる。【選択図】  図１
2005338556.tif 000002
【特許請求の範囲】
【請求項１】
筐体（２）内に複数の光カプラ（１１）が収納されており、前記筐体内に引き込まれた複数の入力側光線路（６）をそれぞれ光カプラを介して複数本の出力側光線路（７）に分岐接続する光成端箱であって、
前記光カプラが複数の可撓性シート（１４）間に挟み込まれるようにして固定された光ファイバシート（１０）を備え、前記光カプラの入力側光ファイバ（１２）および出力側光ファイバ（１３）は前記可撓性シート間から外に引き出されており、前記入力側光ファイバは前記入力側光線路と接続されており、前記出力側光ファイバは前記出力側光線路と接続されており、前記出力側光ファイバは、複数の光カプラからの出力側光ファイバをそれぞれ１本ずつ有する組（Ｐ）に分けられていることを特徴とする光成端箱（１）。
【請求項２】
前記入力側光ファイバと前記入力側光線路との接続部および／または前記出力側光ファイバと前記出力側光線路との接続部を収納する接続トレー（５）を備え、前記光ファイバシートは、前記接続トレーと前記筐体の底壁（２０）との間に設けられていることを特徴とする請求項１に記載の光成端箱。
【請求項３】
前記筐体には、前記筐体の底壁から突設されて突端部（２７）が前記筐体の底壁に沿うように屈曲形成された押さえ片（２８ｂ）が形成されており、前記光ファイバシートは、前記可撓性シートの端部に延出された延出部（１５）が曲げられた状態で前記筐体の底壁と前記押さえ片との間に弾接されることにより、前記筐体に装着されていることを特徴とする請求項１または２に記載の光成端箱。
【請求項４】
前記筐体には、光ファイバの余長が巻き回されるガイド壁（２６）が前記筐体の底壁から突設されており、前記可撓性シートの縁部には前記ガイド壁の側面に沿う形状に切り欠かれた凹部（１６）が形成されており、前記光ファイバシートは、前記凹部が前記ガイド壁の側面に沿うように、前記筐体に装着されていることを特徴とする請求項１ないし３のいずれかに記載の光成端箱。
【請求項５】
筐体（２）内に光部品（１１）が収納されており、前記筐体内に引き込まれた入力側光線路（６）を前記光部品を介して出力側光線路（７）に接続する光成端箱であって、
前記光部品が複数の可撓性シート（１４）間に挟み込まれるようにして固定された光ファイバシート（１０）を備え、前記光部品の入力側光ファイバ（１２）および出力側光ファイバ（１３）は前記可撓性シート間から外に引き出されており、前記入力側光ファイバは前記入力側光線路と接続されており、前記出力側光ファイバは前記出力側光線路と接続されており、
前記筐体には、前記筐体の底壁から突設されて突端部（２７）が前記筐体の底壁に沿うように屈曲形成された押さえ片（２８ｂ）が形成されており、前記光ファイバシートは、前記可撓性シートの端部に延出された延出部（１５）が曲げられた状態で前記筐体の底壁と前記押さえ片との間に弾接されることにより、前記筐体に装着されていることを特徴とする光成端箱。
【請求項６】
前記筐体には、光ファイバの余長が巻き回されるガイド壁（２６）が前記筐体の底壁から突設されており、前記可撓性シートの縁部には前記ガイド壁の側面に沿う形状に切り欠かれた凹部（１６）が形成されており、前記光ファイバシートは、前記凹部が前記ガイド壁の側面に沿うように、前記筐体に装着されていることを特徴とする請求項５に記載の光成端箱。
【発明の詳細な説明】
【技術分野】
【０００１】
本発明は、光カプラ等の光部品を有する光成端箱に関する。
【背景技術】
【０００２】
光通信網の普及につれて、ビルや住宅等の建物内に光成端箱を設置して、屋外から導入された光ファイバケーブルと屋内用の光線路（インドアケーブル等）との接続箇所を光成端箱内に収納することがよく行われている。近年、ＰＯＮ（Passive Optical Network）を利用した光通信ネットワークが広く構築されており、ここでは光線路の途中に設置された光カプラ（又は光スプリッタ。本発明では単に光カプラという。）により光回線を分岐させるようにしている。
光成端箱内に光カプラを搭載する場合、従来は、光カプラをトレー内に収納するようにしている。例えば特許文献１には、光ファイバ同士の光接続部と光カプラとを収納することが可能なカプラ収納トレーが記載されている。
【特許文献１】特開平１０−３０７２１４号公報
【発明の開示】
【発明が解決しようとする課題】
【０００３】
従来の光成端箱においては、光ファイバ同士の光接続部と光カプラとを一つのトレーに収納していたので、光カプラを使用する場合には光接続部を収納できる数（スペース）が減り、これらを充分に収納できるようにするとトレーの寸法が大きくなってしまう問題がある。また、光カプラと光接続部とが同じトレー内に収納されるため、光ファイバの配線の取り回しや余長収納の作業が不便であった。
これらの問題に対しては、光接続部を収納するトレーと光カプラを収納するトレーとを別々にすることも考えられるが、これではトレーの数が増えるため、光成端箱の寸法やコストが増大するという問題がある。
そこで、光カプラ等の光部品を用いて光線路を配線する場合にも、光部品を用いずに配線する場合にも対応でき、コストやスペースを低減できる技術が望まれている。
【０００４】
本発明は、上記事情に鑑みてなされたものであり、光成端箱に光カプラ等の光部品を搭載する場合に光接続部の収納スペースを減らすことなく光カプラ等の光部品を収納することが可能な光成端箱を提供することを課題とする。
【課題を解決するための手段】
【０００５】
前記課題を解決するため、本発明は、筐体内に複数の光カプラが収納されており、前記筐体内に引き込まれた複数の入力側光線路をそれぞれ光カプラを介して複数本の出力側光線路に分岐接続する光成端箱であって、前記光カプラが複数の可撓性シート間に挟み込まれるようにして固定された光ファイバシートを備え、前記光カプラの入力側光ファイバおよび出力側光ファイバは前記可撓性シート間から外に引き出されており、前記入力側光ファイバは前記入力側光線路と接続されており、前記出力側光ファイバは前記出力側光線路と接続されており、前記出力側光ファイバは、複数の光カプラからの出力側光ファイバをそれぞれ１本ずつ有する組に分けられていることを特徴とする光成端箱を提供する。
この光成端箱においては、前記入力側光ファイバと前記入力側光線路との接続部および／または前記出力側光ファイバと前記出力側光線路との接続部を収納する接続トレーを備え、前記光ファイバシートは、前記接続トレーと前記筐体の底壁との間に設けることも可能である。
前記筐体には、前記筐体の底壁から突設されて突端部が前記筐体の底壁に沿うように屈曲形成された押さえ片が形成されており、前記光ファイバシートは、前記可撓性シートの端部に延出された延出部が曲げられた状態で前記筐体の底壁と前記押さえ片との間に弾接されることにより、前記筐体に装着されている構成も可能である。
前記筐体には、光ファイバの余長が巻き回されるガイド壁が前記筐体の底壁から突設されており、前記可撓性シートの縁部には前記ガイド壁の側面に沿う形状に切り欠かれた凹部が形成されており、前記光ファイバシートは、前記凹部が前記ガイド壁の側面に沿うように、前記筐体に装着されている構成も可能である。
【０００６】
また、本発明は、筐体内に光部品が収納されており、前記筐体内に引き込まれた入力側光線路を前記光部品を介して出力側光線路に接続する光成端箱であって、前記光部品が複数の可撓性シート間に挟み込まれるようにして固定された光ファイバシートを備え、前記光部品の入力側光ファイバおよび出力側光ファイバは前記可撓性シート間から外に引き出されており、前記入力側光ファイバは前記入力側光線路と接続されており、前記出力側光ファイバは前記出力側光線路と接続されており、前記筐体には、前記筐体の底壁から突設されて突端部が前記筐体の底壁に沿うように屈曲形成された押さえ片が形成されており、前記光ファイバシートは、前記可撓性シートの端部に延出された延出部が曲げられた状態で前記筐体の底壁と前記押さえ片との間に弾接されることにより、前記筐体に装着されていることを特徴とする光成端箱を提供する。
前記筐体には、光ファイバの余長が巻き回されるガイド壁が前記筐体の底壁から突設されており、前記可撓性シートの縁部には前記ガイド壁の側面に沿う形状に切り欠かれた凹部が形成されており、前記光ファイバシートは、前記凹部が前記ガイド壁の側面に沿うように、前記筐体に装着されている構成も可能である。
【発明の効果】
【０００７】
本発明によれば、光カプラが光ファイバシートに搭載されているので、取り扱い性に優れ、筐体に対する着脱が容易である。光カプラをトレーの外に配置することができるので、光成端箱に光カプラを搭載する場合に、光接続部の収納スペースを減らすことがなく、接続トレーのスペースを光接続部の収納に有効に利用することができる。
さらに、光ファイバシートにおいて、光カプラの出力側光ファイバが、複数の光カプラからの出力側光ファイバをそれぞれ１本ずつ有する組に分けられているので、接続時の線番の取り違えを低減できる。
光ファイバシートが可撓性シートの端部に延出された延出部を有し、この延出部が曲げられた状態で筐体の底壁と押さえ片との間に弾接されている場合、光ファイバシートを支持するための構造を筐体側に設けることが必要ない。従って、光カプラ等の光部品（つまり、光部品が搭載された光ファイバシート）を用いずに配線する場合でも、光成端箱の内部を無駄なく利用することができる。
【発明を実施するための最良の形態】
【０００８】
以下、本発明を実施するための最良の形態について、図面を参照して説明する。
図１は、本形態例の光成端箱の要部であって、カバー及び接続トレーを取り外した状態の一例を示す正面図である。図２は、本形態例の光成端箱に用いられる光ファイバシートの一例を示す（ａ）正面図および（ｂ）模式的配線図である。図３は、本形態例の光成端箱に用いられる光ファイバシートの他の例を示す（ａ）正面図および（ｂ）模式的配線図である。図４は、本形態例の光成端箱における接続トレーおよびカバーの取り付け状態を模式的に説明する分解斜視図である。図５は、本形態例の光成端箱から光ファイバシートを取り外した状態を示す正面図である。図６は、図１のＳ−Ｓ線に沿う断面図である。図７は、光ファイバシートを光カプラ、入力側光ファイバ及び出力側光ファイバに沿う方向に切断した状態を示す断面図である。図８（ａ）は、図２のＡ−Ａ線に沿う断面図である。図８（ｂ）は、図２のＢ−Ｂ線に沿う断面図である。
【０００９】
図４に示すように、本形態例の光成端箱は、有底箱状の筐体２と、この筐体２の前面開口部３（図４の上側）を覆うカバー４と、筐体２に対して回動可能に連結された接続トレー５とを備える。
この光成端箱１は、詳しくは後述するが、図１に示すように、筐体２内に収納された光カプラ１１を介して、筐体２内に引き込まれた入力側光線路６をそれぞれ複数本の出力側光線路７に分岐接続するものである。光カプラ１１の一端側には入力側光線路６と接続される入力側光ファイバ１２が延出されている。また、光カプラ１１の他端側には出力側光線路７と接続される出力側光ファイバ１３が延出されている。
【００１０】
図１，図５に示すように、筐体２は、矩形状の底壁２０と、この底壁２０の四方に突設（図１の手前側）された側壁２１ａ，２１ｂ，２１ｃ，２１ｄとを有する。符号２０ａは、光成端箱１を建物の壁面等に固定するための固定具（ネジなど；図示略）を取り付けるためのボスである。図１においては、これらボス２０ａは筐体２の底壁２０の３箇所に突設されている。
【００１１】
図１の正面視において上側の側壁２１ａの左側および下側の側壁２１ｂの左右両側の３箇所には、入力側光線路６が挿通される入力側挿通口２２が開口されている。
また、上側の側壁２１ａ、下側の側壁２１ｂおよび右側の側壁２１ｄには、出力側光線路７が挿通される出力側挿通口２３が開口されており、光成端箱１からの出力側光線路７の出力方向を上下右の三方向から選択可能となっている。
【００１２】
ここで、入力側光線路６としては、特に限定されるものではないが、例えば、単心ドロップケーブル、多心ドロップケーブル、丸形ケーブル、インドアケーブルなどの光ファイバケーブル（光ケーブル）などが挙げられる。
また、出力側光線路７としては、特に限定されるものではないが、例えば、単心または多心のドロップケーブル、インドアケーブル、光ファイバコード（光コード）などが挙げられる。
なお、本発明において、「入力側」および「出力側」という用語は、光カプラ（光スプリッタ）において入出力端子の数が少ない側（通常は１個）を「入力側」、多い側を「出力側」といい、光カプラと接続される光ファイバや光ケーブルについても同様に定義するものとする。なお、「出力側」を「分岐側」という場合もある。
【００１３】
入力側挿通口２２の内側には、入力側光線路６を把持する光線路把持具２２ａを着脱可能に嵌め込むことが可能な嵌合凹所（把持具固定構造）２２ｂが形成されており、入力側光線路６の種類や本数等に応じた適当な光線路把持具２２ａを選択及び交換可能に取り付けることができる。また、入力側挿通口２２の周縁部両側には封鎖板２２ｃを着脱自在に装着するためのガイド溝（符号略）が形成されており、入力側光線路６を挿通する方向や本数に応じて、使用しない入力側挿通口２２を塞ぐことができる。
【００１４】
同様に、出力側挿通口２３の内側には、出力側光線路７を把持する光線路把持具２３ａを着脱可能に嵌め込むことが可能な柱状突起（把持具固定構造）２３ｂが各出力側挿通口２３の両側において筐体２の底壁２０から突設されており、出力側光線路７の種類や本数等に応じた適当な光線路把持具２３ａを選択及び交換可能に取り付けることができる。また、出力側挿通口２３の周縁部両側には封鎖板２３ｃを着脱自在に装着するためのガイド溝（符号略）が形成されており、出力側光線路７を挿通する方向や本数に応じて、使用しない出力側挿通口２３を塞ぐことができる。
【００１５】
図４に示すように、カバー４はその端縁に突設された差込片４ａを、筐体２の上下の側壁２１ａ，２１ｂに形成された差込口２ａに差し込み係合させることにより、筐体２の開口部３を覆うように筐体２の側壁２１ａ〜２１ｄの手前側端縁に装着される。
【００１６】
接続トレー５は、光ファイバ同士の接続部（例えば融着接続やメカニカルスプライスなど）や光ファイバの接続余長などを収納するトレーである。光カプラ１１の入力側光ファイバ１２と入力側光線路６との接続部（図示略）および光カプラ１１の出力側光ファイバ１３と出力側光線路７との接続部（図示略）は、この接続トレー５内に収納することができる。
【００１７】
接続トレー５の一側縁（図４の左上側；筐体の左側の側壁２１ｃに臨む側）には、蝶番５ａが形成されている。この蝶番５ａは、図１に示すように、筐体２の底壁２０から突設された蝶番支持部（回動機構）２４によって回動可能に支持されている。これにより、接続トレー５は、筐体２から取り出したときには筐体２の開口部３から外側に開き、逆に、筐体２内に押し込んだときには筐体２の内側に収納されるようになっている。
【００１８】
筐体２内部の中央部は、入力側および出力側の光線路６，７の余長（光ケーブル６，７の先端部に露出された光ファイバ６ａ，７ａの余長）を配線するための余長配線部２５となっている。余長配線部２５には、光ファイバの余長を巻き回して配線するための円筒状（円形のみならず、楕円形などでもよい）のガイド壁２６が筐体２の底壁２０から突設されている。
なお、図１において、光ファイバ６ａ，７ａ，１２，１３は、余長配線部２５と接続トレー５（図示略）との間に渡り配線される部分の図示を省略している。
【００１９】
ガイド壁２６の周囲には、筐体２の底壁２０から突設された押さえ片２８ａ，２８ｂ，２８ｃが複数形成されている。図６に示すように、各押さえ片２８ａ，２８ｂ，２８ｃの突端部２７は、筐体２の底壁２０に沿うように屈曲形成されている。これらの押さえ片２８ａ，２８ｂ，２８ｃは、余長配線部２５における光ファイバの配線を規制し、光ファイバが余長配線部２５の外側や筐体２の開口部３の外側等にはみ出すこと等を防止するためのものである。
【００２０】
ここでは、押さえ片のうち符号２８ａが付されたものは、ガイド壁２６の周囲に巻き回される光ファイバ６ａ，７ａの配線を内周側から規制するものであり、これら内周側押さえ片２８ａは、ガイド壁２６の近傍から突設され、突端部２７がガイド壁２６の外側に延びている。
符号２８ｂが付された押さえ片は、ガイド壁２６の周囲に巻き回される光ファイバ６ａ，７ａの配線を外周側から規制するものであり、これら外周側押さえ片２８ｂは、ガイド壁２６よりも外側に突設され、突端部２７がガイド壁２６に向かって延びている。
符号２８ｃが付された押さえ片は、後述の光ファイバシート１０の入力側光ファイバ１２及び出力側光ファイバ１３の配線を規制するものであり、これらの押さえ片２８ｃは、余長配線部２５の外縁部に突設され、突端部２７が余長配線部２５の外側に延びている。
【００２１】
本形態例の光成端箱１においては、光カプラ１１を搭載した光ファイバシート１０が余長配線部２５に装着されている。つまり、光ファイバシート１０は、接続トレー５と筐体２の底壁２０との間に配置されている。
光ファイバシート１０の枚数は、ここでは１枚であるが、本発明はこれに限定されるものではない。２枚以上の複数枚の光ファイバシート１０を積層して用いることもできる。
【００２２】
図２，図３，図７に示すように、光ファイバシート１０は、複数（ここでは２枚）の可撓性シート１４間に、光カプラ１１とその両側に延出された前記光ファイバ１２，１３が挟み込まれるようにして固定されており、前記光ファイバ１２，１３の先端部が可撓性シート１４間から外に引き出されたものである。光ファイバシートは、光ファイバのための補強構造や保持機構が特に不要であるため、構造が簡単である。また、部品数が少なくなり取り扱いやすい上、低コスト化できる。
【００２３】
可撓性シート１４としては、特に限定されるものではないが、例えばポリイミド（ＰＩ）やポリエチレンテレフタレート（ＰＥＴ）、ポリエチレン（ＰＥ）、ナイロン、軟質ポリウレタン等からなり、可撓性を有する薄いシートが好適である。可撓性シート１４間は、例えばゴム系、アクリル系などの接着剤（特に、常温感圧型の接着剤や粘着剤）で接着されている。
【００２４】
図２に示す光ファイバシート１０は、１入力４出力（１×４）の光カプラ１１を２個有し、光カプラ１１ごとに、入力側光ファイバ１２が１本、出力側光ファイバ１３が４本設けられている。
図３に示す光ファイバシート１０は、１入力１６出力（１×１６）の光カプラ１１を２個有し、光カプラ１１ごとに、入力側光ファイバ１２が１本、出力側光ファイバ１３が１６本設けられている。なお、図３（ａ）では、出力側光ファイバ１３の図示を一部省略している。
本発明において、光ファイバシート１０に搭載される光カプラ１１の個数や分岐数、光ファイバ１２，１３の本数は特に限定されるものではなく、例えば、１入力８出力（１×８）の光カプラなどを用いることもできる。
【００２５】
さらに、出力側光ファイバは、複数の光カプラ１１（ここでは、光ファイバシート１０内のすべての光カプラ１１）からの出力側光ファイバ１３をそれぞれ１本ずつ有する組Ｐに分けられている。本形態例の場合、それぞれの組Ｐは、一方の光カプラ１１からの出力側光ファイバ１３を１本と、他方の光カプラ１１からの出力側光ファイバ１３を１本とを含む。
出力側光ファイバの各組Ｐは、図８（ａ），（ｂ）に示すように、樹脂コーティングＴなどにより一括テープ化されており、多心光ファイバテープ心線（ここでは２心）のように取り扱うことができるようになっている。
【００２６】
光ファイバシート１０を製造する方法としては、例えば、片面粘着剤付きの可撓性シート１４を二枚用意し、それら二枚の可撓性シート１４，１４間に光カプラ１１及び光ファイバ１２，１３を挟み付け、両可撓性シート１４，１４を粘着剤によって互いに貼り合わる方法によることができる。これにより、可撓性シート１４間に光カプラ１１及び光ファイバ１２，１３が挟み込まれて固定された光ファイバシート１０を得ることができる。
【００２７】
図２（ａ），図３（ａ）に示すように、本形態例の光ファイバシート１０は、可撓性シート１４の両端部（図２（ａ），図３（ａ）の左右両端）に舌片状の延出部１５が延出されている。光カプラ１１及び光ファイバ１２，１３の配線は延出部１５を回避しており、この延出部１５は自由に曲げることができる。図７に示すように、延出部１５は、曲げられた状態で筐体２の底壁２０と押さえ片２８ｂとの間に弾接されている。そして、延出部１５の弾発力により、光ファイバシート１０が筐体２に装着されている
【００２８】
さらに、本形態例の光ファイバシート１０においては、可撓性シート１４の一縁部に、ガイド壁２６の側面に沿う形状に切り欠かれた凹部１６が形成されている。そして、この光ファイバシート１０は、凹部１６がガイド壁２６の側面に沿うように、筐体２に装着されている。光ファイバシート１０において、光カプラ１１及び光ファイバ１２，１３の配線は、前記凹部１６の周囲を半周回るように布線されている。これにより、可撓性シート１４，１４間から延出された光ファイバ１２，１３の先端部は、余長配線部２５内で余分な配線を行うことなく、押さえ片２８ｃの位置を経由して、接続トレー５に向かわせることができる。
【００２９】
さらに、可撓性シート１４の凹部１６の縁部には、ガイド壁２６の近傍に設置された内周側押さえ片２８ａを回避するための切欠１７，１７が該押さえ片２８ａに対応する位置に（ここでは２箇所）形成されている。
また、可撓性シート１４の凹部１６と反対側の外縁部には、ボス２０ａを回避するための凹部１８が、光ファイバシート１０を余長配線部２５に装着したときに該ボス２０ａに対応するような位置に形成されている。
【００３０】
以下、本形態例の光成端箱１の使用方法の一例を説明する。
光成端箱１は、光線路把持具２２ａ，２３ａに把持固定された光線路（光ケーブル）６，７の光ファイバ６ａ，７ａに、光カプラ１１両端の光ファイバ１２，１３を光接続する。光線路６，７の光ファイバ６ａ，７ａの余長は、その配線を押さえ片２８ａ，２８ｂによって規制されるようにしてガイド壁２６の周囲に巻き回すことにより、余長配線部２５に収納される。
光カプラ１１の入力側光ファイバ１２と入力側光線路６との接続部（図示略）および光カプラ１１の出力側光ファイバ１３と出力側光線路７との接続部（図示略）は、接続トレー５内に収納される。光カプラ１１両端の光ファイバ１２，１３の余長は、その配線を押さえ片２８ｃによって規制されるようにして接続トレー５に誘導し、接続トレー５内に収納される。このように、余長が接続トレー５に収納される光ファイバと、余長が余長配線部２５に収納される光ファイバとが区分けされるので、余長の収納や整理なども簡単になる。
【００３１】
本形態例の光成端箱によれば、光カプラが光ファイバシートに搭載されているので、取り扱い性に優れ、筐体に対する着脱が容易である。光カプラをトレーの外に配置することができるので、光成端箱に光カプラを搭載する場合に、光接続部の収納スペースを減らすことがなく、接続トレーのスペースを光接続部の収納に有効に利用することができる。
例えば、一方の入力側光線路が通信系光線路であり、他方の入力側光線路が映像配信系光線路である場合、一方の光カプラには一方の入力側光ファイバを介して通信系光線路と接続し、他方の光カプラには他方の入力側光ファイバを介して映像配信系光線路と接続することにより、それぞれの光回線の光信号を光カプラにより分岐することができる。出力側光ファイバは、光ファイバシート内のすべての光カプラからの出力側光ファイバを１本ずつ有する組に分けられている（例えばテープ被覆により一括化されている）ので、通信系の出力と映像配信系の出力とを一組にして取り扱うことができる。このようにして、光ファイバを接続するときの線番の取り違えを低減できる。
【００３２】
光ファイバシートが接続トレーと筐体の底壁との間に装着されているので、接続トレーを操作（回動等）するときに光ファイバシートや光カプラ両端の光ファイバが邪魔となりにくい。可撓性シートが筐体の底壁に沿って密着するように布設されることにより、光ファイバシートの上側の空間を光ファイバの余長の配線に利用することができ、光ファイバシートの収納に要するスペースを最小限まで小さくすることができる。
【００３３】
光ファイバシートは、可撓性シートの端部に延出された延出部が曲げられた状態で筐体の底壁と押さえ片との間に弾接されているので、光ファイバシートを支持するための構造を筐体側に設けることが必要ない。従って、光カプラ等の光部品（光ファイバシート）を用いずに配線する場合でも、光成端箱の内部を無駄なく利用することができる。
なお、光ファイバシートに搭載される光部品は、光カプラに限定されるものではない。光部品としては、可撓性シート間にはさみこむことが可能な形状、寸法のものであればよく、各種光部品を採用することができる。
【００３４】
光ファイバシートの可撓性シートの縁部に、余長配線部のガイド壁の側面に沿う形状に切り欠かれた凹部が形成されており、光ファイバシートの凹部がガイド壁の側面に沿うように装着されているので、光ファイバシートは、凹部の両側でガイド壁を抱え込んだような姿勢になり、収まりよく装着できる。従って、光ファイバシートの位置が余長配線部内でずれにくく、光ファイバシートから延出された光カプラ（光部品）両端の光ファイバに対して振動等の不都合が発生しにくい。
【００３５】
以上、本発明を好適な実施の形態に基づいて説明してきたが、本発明は上述の形態例に限定されるものではなく、本発明の要旨を逸脱しない範囲で種々の改変が可能である。
例えば、筐体など光成端箱の具体的構造や寸法、光ファイバシートの形状、光カプラの種類や分岐数、光ファイバの種類や本数、光ファイバの配線の形態や方法などは、適宜変更可能である。
筐体内に収納される光ファイバシートの枚数は、１枚に限定されることはなく、２枚以上の複数枚とすることもできる。複数枚の光ファイバシートは、例えば、相互に積層して筐体に収納することもできる。または、光ファイバシートを収納する箇所を筐体に複数設けることもできる。
【産業上の利用可能性】
【００３６】
本発明は、例えば光カプラ等の光部品を用いた光線路、光ネットワークの敷設に利用することができる。
【図面の簡単な説明】
【００３７】
【図１】本発明の光成端箱の要部であって、カバー及び接続トレーを取り外した状態の一例を示す正面図である。
【図２】本発明の光成端箱に用いられる光ファイバシートの一例を示す（ａ）正面図および（ｂ）模式的配線図である。
【図３】本発明の光成端箱に用いられる光ファイバシートの他の例を示す（ａ）正面図および（ｂ）模式的配線図である。
【図４】図１の光成端箱における接続トレーおよびカバーの取り付け状態を模式的に説明する分解斜視図である。
【図５】図１の光成端箱から光ファイバシートを取り外した状態を示す正面図である。
【図６】図１のＳ−Ｓ線に沿う断面図である。
【図７】光ファイバシートを光カプラ、入力側光ファイバ及び出力側光ファイバに沿う方向に切断した状態を示す断面図である。
【図８】（ａ）図２のＡ−Ａ線に沿う断面図である。（ｂ）図２のＢ−Ｂ線に沿う断面図である。
【符号の説明】
【００３８】
１…光成端箱、２…筐体、５…接続トレー、６…入力側光線路（光ケーブル）、７…出力側光線路（光ケーブル）、１０…光ファイバシート、１１…光カプラ（光スプリッタ、光部品）、１２…入力側光ファイバ、１３…出力側光ファイバ、１４…可撓性シート、１５…延出部、１６…可撓性シートの凹部、２０…筐体の底壁、２６…ガイド壁、２７…突端部、２８ａ，２８ｂ，２８ｃ…押さえ片、Ｐ…出力側光ファイバの組。
【図１】
2005338556.tif 000003
【図２】
2005338556.tif 000004
【図３】
2005338556.tif 000005
【図４】
2005338556.tif 000006
【図５】
2005338556.tif 000007
【図６】
2005338556.tif 000008
【図７】
2005338556.tif 000009
【図８】
2005338556.tif 000010